(57)【要約】【課題】  冷却ファンの騒音を減らした誘導加熱調理器を提供する。【解決手段】  本体１の上面に設けた被加熱物を載置するプレート３と、このプレート３の下方に設けた誘導加熱用の複数の加熱コイル６と、この加熱コイル６の下方で本体１の一端側に設けたロースター部４と、加熱コイル６の下方で本体１の他端側に設けた第１と第２の制御部１２、１７を２段に重ねて収納する風路構成体１９と、この風路構成体１９に送風して第１と第２の制御部１２、１７を冷却する冷却ファン１８とを備えた誘導加熱調理器において、第１の制御部１２を下段に配置し、風路構成体１９中に送風される風を第１の制御部１２に吹き当てた後第２の制御部１７へ吹き当てるように第１の制御部１２と第２の制御部１７との間を仕切る支持板１５を設け、この支持板１５の挿入部分で前記風路構成体１９を風路構成体下部１９ａと風路構成体上部１９ｂに分割した。【選択図】  図３
2006054086.tif 000002
【特許請求の範囲】
【請求項１】
本体（１）の上面に設けた被加熱物を載置するプレート（３）と、このプレート（３）の下方に設けた誘導加熱用の複数の加熱コイル（６）と、この加熱コイル（６）の下方で本体（１）の一端側に設けたロースター部（４）と、加熱コイル（６）の下方で本体（１）の他端側に設けた第１と第２の制御部（１２）、（１７）を２段に重ねて収納する風路構成体（１９）と、この風路構成体（１９）に送風して第１と第２の制御部（１２）、（１７）を冷却する冷却ファン（１８）とを備えた誘導加熱調理器において、第１の制御部（１２）を下段に配置し、風路構成体（１９）中に送風される風を第１の制御部（１２）に吹き当てた後第２の制御部（１７）へ吹き当てるように第１の制御部（１２）と第２の制御部（１７）との間を仕切る支持板（１５）を設け、この支持板（１５）の挿入部分で前記風路構成体（１９）を風路構成体下部（１９ａ）と風路構成体上部（１９ｂ）に分割したことを特徴とする誘導加熱調理器。
【請求項２】
第１の制御部（１２）は主に加熱コイル（６）を駆動する駆動素子（１３）とこの駆動素子（１３）を固定する放熱板（１４）から構成される基板から成り、第２の制御部（１７）は主に電源回路とマイクロコンピュータ回路から構成される基板から成ることを特徴とする請求項１記載の誘導加熱調理器。
【請求項３】
支持板（１５）に、第１の制御部（１２）の放熱板（１４）の高さぎりぎりまで風路を絞る凸部（２２）を設け、放熱板（１４）に吹き当てられる風量を増やすように構成したことを特徴とする請求項１又は２記載の誘導加熱調理器。
【請求項４】
支持板（１５）と風路構成体下部（１９ａ）とで形成される第１の制御部（１２）を収納する空間Ａ（２６）と、冷却ファン（１８）の吸い込み側の冷却ファン室（２３）との間を空気が漏れないように、風路構成体下部（１９ａ）の側面に上下に通したレール状の溝（２４）を設け、支持板（１５）に設けた仕切壁Ａ（２５）を上方から前記溝（２４）に差し込むようにして空間Ａ（２６）を構成するとともに、支持板（１５）と風路構成体上部（１９ｂ）とで形成される第２の制御部（１７）を収納する空間Ｂ（２７）と、冷却ファン（１８）の吸い込み側の冷却ファン室（２３）との間を空気が漏れないように、風路構成体上部（１９ｂ）に仕切壁Ｂ（２８）を設け、風路構成体上部（１９ｂ）を支持板（１５）と風路構成体下部（１９ａ）の上に被せた際に、支持板（１５）に設けた斜めに傾いた傾斜壁（２９）をガイドとして前記風路構成体上部（１９ｂ）に設けた仕切壁Ｂ（２８）が突き当たるようにして空間Ｂ（２７）を構成したことを特徴とする請求項１、２又は３記載の誘導加熱調理器。
【請求項５】
風路構成体（１９）中に流れる冷却風が風路構成体下部（１９ａ）と風路構成体上部（１９ｂ）の突き合わせ部である前部隙間（３０）から漏れないように前部隙間（３０）の位置を、前部隙間（３０）のある壁に対し水平に冷却風が流れる位置に設けたことを特徴とする請求項１、２、３又は４記載の誘導加熱調理器。
【発明の詳細な説明】
【技術分野】
【０００１】
本発明は、誘導加熱調理器に関するものであり、特に制御基板を冷却する構成に関するものである。
【背景技術】
【０００２】
従来のこの種の誘導加熱調理器は、図１、図２、図６及び図７にしめすような構造のものが知られている。すなわち、図１は誘導加熱調理器がシステムキッチンに組み込まれた状態を示しており、図１において、誘導加熱調理器の本体１の上面にプレート３が備えられ、プレート３上の二つの円は誘導加熱部を示し、本体１の正面左側に魚等を焼くロースター部４を備え、本体１の右側前面に加熱の設定等を行う操作部５を備えている。
【０００３】
そして、被加熱物を入れる鍋２は左の誘導加熱部を示すプレート３上に載置されている。１６は吸気口で、本体１の上方に向かって開口していて、本体１内部に冷却風を吸気している。
【０００４】
図２において、プレート３の下方には略水平に二つの誘導加熱用の加熱コイル６が左右に配置され、プレート３を支持するトップケース７がこの下方に配置される。
【０００５】
そして、加熱コイル６の下方左側にロースター部４とその反対側すなわち右側に制御部ユニット８が配置され、ロースター部４と制御ユニット８との間にはこれらを仕切る仕切板９が設けられている。
【０００６】
また、制御部ユニット８は後記する収納ケース６０３、出力制御基板６０１及び冷却ファン１８等で構成される。
【０００７】
そして、前記構成部材の下方には、これらを支え本体１の底面を構成する外郭底面部１０が備えられ、本体１の前面には前面部を構成するパネル１１が備えられている。
【０００８】
図６、図７において、６０１は出力制御基板で、プレート３の下方に設けられ、左右の加熱コイル６への出力を主に制御する制御回路を含んだ回路基板である。
【０００９】
１８は冷却ファンで、出力制御基板６０１及び加熱コイル６を冷却するものである。
【００１０】
６０３は樹脂製の収納ケースで、本体１内部に設置され、この内部に出力制御基板６０１と冷却ファン１８を配置し、この上部に本体１の吸気口１６と対応するケース吸気口２０を備え、この上部に加熱コイル６と対応する第１の冷却口２１ａと第２の冷却口２１ｂを備えている。そしてさらに、収納ケース６０３内にケース吸気口２０から第１、第２の冷却口２１ａ、２１ｂに通じる風路６０４を形成している。
【００１１】
第２の冷却口２１ｂは冷却ファン１８からの送風が収納ケース６０３より吹き出される開口部の一つで、対応する加熱コイル６の側部に対向するように、収納ケース６０３の上部略中央で切り起こし左方に向かって開口され、ここから吹き出された冷却風は左の加熱コイル６に吹き付けられる。
【００１２】
第１の冷却口２１ａは、冷却ファン１８からの送風が収納ケース６０３より吹き出される開口部の他の一つで、対応する加熱コイル６の側部に対向するように、収納ケース６０３の上部前部で切り起こし後方に向けて開口され、ここから吹き出された冷却風は右の加熱コイル６に吹き付けられる。
【００１３】
以上の構成において、その動作を説明する。
【００１４】
使用者が鍋２をプレート３の上に載置し、操作部５を操作し、調理を開始すると、出力制御基板６０１の制御により加熱コイル６に高周波電流が流れて磁束を発生し、この磁束により鍋２に渦電流が流れ、鍋２自身が発熱して加熱される。
【００１５】
調理が開始されると、同時に、出力制御基板６０１は冷却ファン１８にも制御信号を出力し、この制御信号により、冷却ファン１８は駆動され、ケース吸気口２０から外気を吸い込み、手前へ送風を行う。
【００１６】
冷却ファン１８による送風は、収納ケース６０３内部で冷却風の下流に配置された出力制御基板６０１に吹き付けられて、これを冷却する。冷却風の一部は出力制御基板６０１の一部を冷却し、収納ケース６０３の上部略中央で左方に向けて開口された第２の冷却口２１ｂを通り、その方向が略水平左方に変わり、左の加熱コイル６の側部に吹き付けて冷却し、その後排気口（図示せず）から本体１の外部に排出される。
【００１７】
冷却風の他の一部は出力制御基板６０１を通過し、収納ケース１３の手前壁面に沿って上方に向い、収納ケース６０３の上部前側で後方に向けて開口された第１の冷却口２１ａを通り、その方向が略水平後方に変わり、右の加熱コイル６の側部に吹き付けて冷却し、その後排気口（図示せず）から本体１の外部に排出される。
【００１８】
調理中は上記のように冷却動作が行われ、調理が終了すると、出力制御基板６０１は制御信号の出力を停止し、加熱コイル６、および冷却ファン１８の運転を停止させる。
【００１９】
上記のように、外気の吸込み部であるケース吸気口２０から排出部である第１、第２の冷却口２１ａ、２１ｂに通じる風路が、一体構造の樹脂製の収納ケース６０３で構成され、かつ、この収納ケース６０３内に出力制御基板６０１および冷却ファン１８が配置されているため、出力制御基板６０１の冷却は、冷却風のロスがなく、冷却効率の高いものである（例えば、特許文献１参照）。
【００２０】
【特許文献１】特開２００３−８６３３９号公報
【発明の開示】
【発明が解決しようとする課題】
【００２１】
しかしながら、上記の従来技術において、近年の誘導加熱調理器は、高出力化が進み、それと同時に半導体素子の熱損失も多くなり、制御部を充分に冷却するために、冷却ファンの風量を増やし、冷却ファンによる冷却性能を向上させることで対応してきたが、その反面、冷却ファンの騒音が大きくなり、使用者に不快感を与える問題が生じ、冷却ファンの低騒音化が検討課題となっていた。
【００２２】
本発明は、前記課題を解決するものであり、制御部の冷却を少ない風量で充分な冷却ができるように冷却の効率を高め、風量の低減を図り、冷却ファンの騒音を減らすことによって低騒音化を図ることを目的とするものである。
【課題を解決するための手段】
【００２３】
本発明は上記の問題を解決するためになされたものであり、請求項１では本体の上面に設けた被加熱物を載置するプレートと、このプレートの下方に設けた誘導加熱用の複数の加熱コイルと、この加熱コイルの下方で本体の一端側に設けたロースター部と、加熱コイルの下方で本体の他端側に設けた第１と第２の制御部を２段に重ねて収納する風路構成体と、この風路構成体に送風して第１と第２の制御部を冷却する冷却ファンとを備えた誘導加熱調理器において、第１の制御部を下段に配置し、風路構成体中に送風される風を第１の制御部に吹き当てた後第２の制御部へ吹き当てるように第１の制御部と第２の制御部との間を仕切る支持板を設け、この支持板の挿入部分で前記風路構成体を風路構成体下部と風路構成体上部に分割したものである。
【００２４】
また、請求項２では第１の制御部は主に加熱コイルを駆動する駆動素子とこの駆動素子を固定する放熱板から構成される基板から成り、第２の制御部は主に電源回路とマイクロコンピュータ回路から構成される基板から成るものである。
【００２５】
また、請求項３は支持板に、第１の制御部の放熱板の高さぎりぎりまで風路を絞る凸部を設け、放熱板に吹き当てられる風量を増やすように構成したものである。
【００２６】
また、請求項４は支持板と風路構成体下部とで形成される第１の制御部を収納する空間Ａと、冷却ファンの吸い込み側の冷却ファン室との間を空気が漏れないように、風路構成体下部の側面に上下に通したレール状の溝を設け、支持板に設けた仕切壁Ａを上方から前記溝に差し込むようにして空間Ａを構成するとともに、支持板と風路構成体上部とで形成される第２の制御部を収納する空間Ｂと、冷却ファンの吸い込み側の冷却ファン室との間を空気が漏れないように、風路構成体上部に仕切壁Ｂを設け、風路構成体上部を支持板と風路構成体下部の上に被せた際に、支持板に設けた斜めに傾いた傾斜壁をガイドとして前記風路構成体上部に設けた仕切壁Ｂが突き当たるようにして空間Ｂを構成したものである。
【００２７】
また、請求項５は風路構成体中に流れる冷却風が風路構成体下部と風路構成体上部の突き合わせ部である前部隙間から漏れないように前部隙間の位置を、前部隙間のある壁に対し水平に冷却風が流れる位置に設けたものである。
【発明の効果】
【００２８】
本発明の誘導加熱調理器は、上記のように構成したことにより、冷却風が風路構成体中をスムーズに流れ冷却効率が向上するとともに、風路構成体が組み立てやすく分割されているため制御部の組み立て作業の効率が良く、したがって安価な構成とすることができる。
【００２９】
また、風路構成体下部と支持板および風路構成体上部の各部品勘合部の隙間から冷却風が冷却ファンの吸い込み側に漏れて発生する熱循環を大幅に減らすことができたため、冷却効率が向上し、小型の冷却ファンを使用することにより、冷却ファンの騒音を抑えることが可能となり使用者に不快感を与えることが無い。
【００３０】
また、支持板に設けられた凸部により冷却風が絞られ放熱板に吹き当てられる冷却風量が増し、効率よく放熱板すなわち駆動素子を冷却することができるため冷却効率を向上することができる。
【００３１】
また、制御部を組み立てる際、風路構成体上部に設けられた仕切壁Ｂが、ガイドされて面接触するように構成された支持板に設けられた傾斜壁により、冷却風の漏れを防ぐことができるとともに、簡単に組み付けができるため、組み立て作業の効率が良く、安価な構成とすることができる。
【００３２】
また、制御部を組み立てる際、支持板に設けられた仕切壁Ａを風路構成体下部に設けられた溝に差し込み、風路構成体下部の壁に突き当てるようにして簡単に組み付けることができるため、組み立て作業の効率が良く、安価な構成とすることができる。
【００３３】
さらに、前部隙間から漏れる冷却風を低減することができるため、この前部隙間部から発生する冷却風の漏れによる音を低減可能となり、使用者に不快感を与える騒音の発生を押さえることができる。
【発明を実施するための最良の形態】
【００３４】
以下、本発明の一実施例を図１〜図５を参照して説明する。
【００３５】
図１は従来例、および本発明の一実施例を示すシステムキッチンに組み込まれた誘導加熱調理器の外観斜視図、図２は従来例および本発明の一実施例を示す誘導加熱調理器の構成を示す分解斜視図、図３は本発明の一実施例を示す制御ユニットの構成を示す分解斜視図、図４は同じく風路構成体上部が無い状態の制御ユニットの平面図、図５は同じく制御ユニットの縦断面図である。
【００３６】
図１において、１は誘導加熱調理器の本体である。２は鍋で、被加熱物を入れるものである。３はプレートで、本体１の上面に備えられ、被加熱物である鍋２を載置する。４はロースター部で、後記する加熱コイル６の下方で本体１の一端側に備えられ（本実施例では正面から見ては左側に備えられ）、魚等を焼く。尚、ロースター部４は本体１の右側に備えられてもよい。
【００３７】
５は操作部で、本体１の右側前面に配置され、加熱の設定等を行う。１６は吸気口で、本体１の上方に向かって開口していて、本体１内部に冷却風を吸気している。
【００３８】
図２において、６は加熱コイルで、プレート３の下方に略水平に配置され、左右に二つ有り、鍋２を誘導加熱する。７はトップケースで、プレート３の下方に配置され、これを支持する。８は制御ユニットで、加熱コイル６の下方でロースター部４とは反対側の本実施例では本体１内の右側に備えられ、後記する風路構成体１９、第１の制御部１２、第２の制御部１７、冷却ファン１８、支持板１５等で構成される。１０は外郭底面部で、本体１の底面を構成する。１１はパネルで、本体１の前面部を構成する。
【００３９】
図３、図４及び図５において、１２は第１の制御部で、風路構成体１９の底面に備えられ、主に二つの加熱コイル６に対応した制御回路を含み、加熱コイル６を駆動する後記する駆動素子１３とこの駆動素子１３を固定する放熱板１４から構成される基板から成っている。尚、ここでいう基板構成とは、片面または両面等に銅張り等で回路を形成した基板に制御用の電子部品等が搭載されて構成されるもので、以下同様である。
【００４０】
１３は駆動素子で、第１の制御部１２の基板に搭載され、複数有り、ＩＧＢＴ等のパワー半導体素子であり、加熱コイル６を駆動する。
【００４１】
１４は放熱板で、駆動素子１３に対応して複数有り、本実施例では２列で互いに向き合って設けられていて、それぞれの駆動素子１３を固定して駆動素子１３の放熱を補助するものである。
【００４２】
１５は支持板で、樹脂製で構成され、後記する風路構成体下部１９ａの上部に載せられる。
【００４３】
１７は第２の制御部で、制御回路を駆動するための電源回路及び制御を行うマイクロコンピュータ回路等を搭載し、基板構成され、第１の制御部１２の上方に配置し、支持板１５の上面に固定されている。
【００４４】
１８は冷却ファンで、後記する風路構成体１９内部で第１の制御部１２の近傍に配置され、本体１の後方から前方へ冷却風を送風し、第１の制御部１２と第２の制御部１７及び加熱コイル６に送風して強制冷却する。
【００４５】
１９は風路構成体で、加熱コイル６の下方でロースター部４とは反対側に設けられ、樹脂製で風路構成体上部１９ｂと風路構成体下部１９ａに２分割されて形成され、底面、側面、及び上面からなり、前記第１の制御部１２を下段とし、第２の制御部１７を上段とした２段重ねにして収納するとともに、前記冷却ファン１８も収納している。そして、冷却ファン１８により風路構成体１９中に送風される風は支持板１５により風路構成体１９の中が仕切られているので最初に第１の制御部１２に吹き当てられ、その後第２の制御部１７に吹き当てられるように風路が形成されている。
【００４６】
２０はケース吸気口で、風路構成体上部１９ｂの上面後部に設けられ、外気すなわち冷却風を風路構成体１９内部に吸気する開口部であり、本体１の上面に備えられた吸気口１６に連通している。
【００４７】
２１ａ、２１ｂは第１の冷却口と第２の冷却口で、風路構成体上部１９ｂの上面前部に設けられ、冷却風を風路構成体１９の外部に排気する開口部で、本実施例では２箇所あり、第１の冷却口２１ａから吹き出される冷却風は本体１の右側に設けられた加熱コイル６の下面から吹き付けられ、右側の加熱コイル６を冷却する。また、第２の冷却口２１ｂから吹き出される冷却風は本体１の左側に設けられた加熱コイル６の側面に吹き付けられ、左側の加熱コイル６を冷却する。
【００４８】
２２は支持板１５に設けられた凸部で、風路構成体下部１９ａに支持板１５を被せたとき、この凸部２２により第１の制御部１２に設けられた放熱板１４の高さぎりぎりまで風路を絞るように設けられているため、放熱板１４に吹き当てられる冷却風量が増し、効率よく放熱板１４を冷却することができる。
【００４９】
２３は冷却ファン室で、冷却ファン１８の吸い込み側の空間であり、この冷却ファン室２３の上方にケース吸気口２０が設けられていて、ここから吸気して風路構成体１９の後記する空間Ａ２６に送風する。
【００５０】
２４は風路構成体下部１９ａの側面に上下に通したレール状の溝であり、風路構成体下部１９ａの冷却ファン１８側の側面２箇所に設けられている。
【００５１】
２５は仕切壁Ａで、支持板１５の冷却ファン１８側に設けられた垂直方向に立ち下げた壁で、風路構成体下部１９ａの上に支持板１５を被せたときこの仕切壁Ａ２５が風路構成体下部１９ａの側面に設けられたレール状の溝２４に収まり、これにより風路構成体１９に吹き込まれた冷却風が冷却ファン１８の吸い込み側の空間である冷却ファン室２３に漏れ出さないようにしている。
【００５２】
２６は空間Ａで、支持板１５と風路構成体下部１９ａとで形成する第１の制御部１２を収納している空間である。
【００５３】
２７は空間Ｂで、支持板１５と風路構成体上部１９ｂとで形成する第２の制御部１７を収納している空間である。
【００５４】
２８は仕切壁Ｂで、風路構成体上部１９ｂの冷却ファン１８側に設けられた垂直方向に立ち下げた壁である。
【００５５】
２９は傾斜壁で、支持板１５の冷却ファン１８側に設けられた斜めに傾いた壁で、風路構成体下部１９ａの上に被せた支持板１５の上に風路構成体上部１９ｂを被せたとき、風路構成体上部１９ｂの冷却ファン１８側に設けられた仕切壁Ｂ２８がこの傾斜壁２９の斜めに傾いた壁をガイドとして突き当てることにより、仕切壁Ｂ２８と傾斜壁２９が面接触し、第２の制御部１７を収納している空間Ｂ２７から冷却ファン室２３に冷却風が漏れないようにしている。
【００５６】
３０は前部隙間で、冷却ファン１８側と反対側の本体１の前部に形成される風路構成体下部１９ａと風路構成体上部１９ｂを組み立てる際に生ずる突き合わせ部の隙間であり、空間Ａ２６から空間Ｂ２７に流れる冷却風がこの風路構成体１９の前部で方向を変えるため、冷却風が漏れやすい部分であり、そのためこの前部隙間３０から冷却風が漏れないように、前部隙間３０の位置を前部隙間３０のある壁に対し水平に冷却風が流れるような位置となるように、前部隙間３０の位置である風路構成体下部１９ａの高さを冷却ファン１８の高さより高くなるように構成している。
【００５７】
３１は風路構成体下部１９ａに設けられた壁で、風路構成体下部１９ａの底面の右側面から左側面にかけて冷却風路を除いた部分で垂直に伸びて設けられている。
【００５８】
次に、風路構成体１９の主要部の詳細な構成を図３、図４及び図５を参照して詳細に説明する。
【００５９】
第１の制御部１２の基板は、冷却ファン１８の配置部を除く風路構成体下部１９ａの底面全面に配置され、２列で互いに向き合って設けられた放熱板１４に駆動素子１３が固定され、冷却ファン１８の冷却風が互いに向き合った放熱板１４の中を吹き抜ける構成とし、また、支持板１５に設けられた凸部２２により冷却風が絞られ放熱板１４に吹き当てられる冷却風量が増し、効率よく放熱板１４すなわち駆動素子１３を冷却することができるようになっている。
【００６０】
そして、第１の制御部１２を収納した風路構成体下部１９ａの上方には支持板１５の上に第２の制御部１７が配置されていて、本体１後側の冷却ファン１８から空間Ａに吹き込まれた冷却風が第１の制御部１２の基板を冷却した後、本体１の前面側に流れ、この前面側に設けられた風路を介し、支持板１５と風路構成体上部１９ｂとで形成される空間Ｂ２７へ吹き込まれた後、第１、第２の冷却口２１ａ、２１ｂの２箇所から吹き出され、その後加熱コイル６を冷却する構成になっている。
【００６１】
そして、支持板１５を風路構成体下部１９ａに被せると、支持板１５に設けられた仕切壁Ａ２５が風路構成体下部１９ａの溝２４に差し込まれ、風路構成体下部１９ａの壁３１に突き当たり、冷却ファン１８から吹き込まれた冷却風が支持板１５と風路構成体下部１９ａとで形成する空間Ａ２６から冷却ファン室２３に漏れにくくなり冷却効率を高めることができる。
【００６２】
また、風路構成体上部１９ｂに設けられた仕切壁Ｂ２８が支持板１５に設けられた傾斜壁２９の斜めに傾いた壁をガイドとして突き当てることにより、仕切壁Ｂ２８と傾斜壁２９が面接触し、冷却ファン１８から吹き込まれた冷却風が支持板１５と風路構成体上部１９ｂとで形成する空間Ｂ２７から冷却ファン室２３に漏れにくくなり冷却効率を高めることができる。
【００６３】
次に、以上の構成による全体の動作について説明する。
【００６４】
使用者が左の加熱コイル６の上方のプレート３の上に鍋２を載置し、操作部５を操作し、加熱を開始すると、第１の制御部１２と第２の制御部１７が作動を開始し、左の加熱コイル６に対応した第２の制御部１７内の駆動素子１３が作動して左の加熱コイル６が駆動され、この加熱コイル６の発生する磁束により鍋２が誘導加熱される。
【００６５】
そして、加熱開始とほぼ同時に、冷却ファン１８も駆動され、外気を風路構成体１９のケース吸気口２０から吸気し、前方にある第１の制御部１２、および第２の制御部１７に送風し、第１の制御部１２に設けられた放熱板１４等を冷却する。
【００６６】
そして、冷却ファン１８の発生する冷却風は、第１の制御部１２の後方から前方に向って吹き付け、風路構成体１９の前面内壁に至ると上方に流れる。この時風路構成体１９の前面の風路構成体下部１９ａと風路構成体上部１９ｂを組み立てる際に生ずる突き合わせ部の前部隙間３０に流れる冷却風は、前部隙間３０のある壁に対し水平方向に流れる構成としたことにより、この前部隙間３０から漏れる冷却風を低減することができるので、隙間部３０で発生する冷却風の漏れによる音を低減することができ、使用者に不快感を与える騒音の発生を押さえることができる。
【００６７】
また、第１の制御部１２を収納している空間Ａ２６は、冷却ファン１８により吹き込まれた冷却風が支持板１５に設けられた凸部２２により第１の制御部１２に設けられた放熱板１４の高さぎりぎりまで風路が絞られ、放熱板１４に吹き当てられる冷却風量が増すため、効率よく放熱板１４を冷却することができ冷却効率が向上し、したがって大型の冷却ファンが必要なくなり小型で騒音の少ない冷却ファンの使用が可能になる。
【００６８】
このように、冷却風が風路構成体１９中をスムーズに流れ冷却効率が向上するとともに、風路構成体１９が組み立てやすく分割されているため制御部８の組み立て作業の効率が良く、したがって安価な構成とすることができる。
【００６９】
また、風路構成体下部１９ａと支持板１５および風路構成体上部１９ｂの各部品勘合部の隙間から冷却風が冷却ファン１８の吸い込み側に漏れて発生する熱循環を大幅に減らすことができたため、冷却効率が向上し、小型の冷却ファン１８を使用することにより、冷却ファン１８の騒音を抑えることが可能となり使用者に不快感を与えることが無い。
【００７０】
また、支持板１５に設けられた凸部２２により冷却風が絞られ放熱板１４に吹き当てられる冷却風量が増し、効率よく放熱板１４すなわち駆動素子１３を冷却することができるため冷却効率を向上することができる。
【００７１】
また、制御部８を組み立てる際、風路構成体上部１９ｂに設けられた仕切壁Ｂ２８がガイドされて面接触するように構成された支持板１５に設けられた傾斜壁２９により、冷却風の漏れを防ぐことができるとともに、簡単に組み付けができるため組み立て作業の効率が良く、安価な構成とすることができる。
【００７２】
また、制御部８を組み立てる際、支持板１５に設けられた仕切壁Ａ２５を風路構成体下部１９ａに設けられた溝２４に差し込み、風路構成体下部１９ａの壁３１に突き当てるようにして簡単に組み付けることができるため、組み立て作業の効率が良く、安価な構成とすることができる。
【００７３】
さらに、前部隙間３０から漏れる冷却風を低減することができるため、この前部隙間３０部から発生する冷却風の漏れによる音を低減することが可能となり、使用者に不快感を与える騒音の発生を押さえることができる。
【図面の簡単な説明】
【００７４】
【図１】従来例および本発明の一実施例を示すシステムキッチンに組み込まれた誘導加熱調理器の外観斜視図である。
【図２】従来例および本発明の一実施例を示す誘導加熱調理器の構成を示す分解斜視図である。
【図３】本発明の一実施例を示す制御ユニットの構成を示す分解斜視図である。
【図４】同じく風路構成体上部が無い状態の制御ユニットの平面図である。
【図５】同じく制御ユニットの縦断面図である。
【図６】従来例の制御ユニットの構成を示す縦断面図である。
【図７】従来例の収納ケースを示す外観斜視図である。
【符号の説明】
【００７５】
１  本体
２  鍋
３  プレート
４  ロースター部
６  加熱コイル
１２  第１の制御部
１３  駆動素子
１４  放熱板
１５  支持板
１７  第２の制御部
１８  冷却ファン
１９  風路構成体
１９ａ  風路構成体下部
１９ｂ  風路構成体上部
２２  凸部
２４  溝
２６  空間Ａ
２７  空間Ｂ
２８  仕切壁Ｂ
２９  傾斜壁
３０  前部隙間
【図１】
2006054086.tif 000003
【図２】
2006054086.tif 000004
【図３】
2006054086.tif 000005
【図４】
2006054086.tif 000006
【図５】
2006054086.tif 000007
【図６】
2006054086.tif 000008
【図７】
2006054086.tif 000009